(57)【要約】【課題】資金装填の効率性を向上させることが可能な装填計画策定システム、装填計画策定方法、及びプログラムを提供する。【解決手段】対象期間における自動取引装置からの取引媒体の流出量を予測する流出予測部と、流出量の予測結果に基づき、対象期間中において装填日と連続せず、かつ当該装填日よりも後の第１の候補日の前日における自動取引装置内の取引媒体の収容量が下限値を下回らないように算出された装填量の装填を装填日に計画する装填計画部と、を備え、装填計画部は、第１の候補日と連続せず、かつ当該第１の候補日よりも後の第２の候補日の前日における収容量が下限値を下回らないように算出された装填量を装填後の装填日における収容量が上限値以下の場合には、当該装填量の装填を装填日に計画し、第１の候補日での装填を避けて、次回の装填を第２の候補日以降に計画すること、を特徴とする、装填計画策定システム。【選択図】図１
2015069291.tif 000002
【特許請求の範囲】
【請求項１】
自動取引装置に取引媒体の装填を行うための装填計画を策定する装填計画策定システムであって、
対象期間における前記自動取引装置からの前記取引媒体の流出量を予測する流出予測部と、
前記流出量の予測結果に基づき、前記対象期間中において装填日と連続せず、かつ当該装填日よりも後の第１の候補日の前日における前記自動取引装置内の前記取引媒体の収容量が下限値を下回らないように算出された装填量の装填を前記装填日に計画する装填計画部と、
を備え、
前記装填計画部は、前記第１の候補日と連続せず、かつ当該第１の候補日よりも後の第２の候補日の前日における前記収容量が前記下限値を下回らないように算出された装填量を装填後の前記装填日における前記収容量が上限値以下の場合には、当該装填量の装填を前記装填日に計画し、前記第１の候補日での装填を避けて、次回の装填を前記第２の候補日以降に計画すること、
を特徴とする、装填計画策定システム。
【請求項２】
前記第１の候補日は、前記対象期間中において装填日と連続せず、かつ当該装填日よりも後の互いに不連続である複数の候補日のうち、前記装填日の直後の候補日であり、
前記装填計画部は、前記第１の候補日以降の前記複数の候補日それぞれを時系列に沿って順次対象日として、
前記流出量の予測結果に基づき、少なくとも前記対象日の前日における前記自動取引装置内の前記取引媒体の収容量が前記下限値を下回らないように、当該対象日に対応した前記装填日における装填量を順次算出し、
算出した前記装填量を装填後の前記装填日における前記収容量が前記上限値を上回った場合には、当該装填量に対応する前記対象日の直前の候補日を前記第２の候補日とすることを特徴とする、請求項１に記載の装填計画策定システム。
【請求項３】
前記装填計画部は、前記装填日における装填前の前記収容量の予測値と、前記装填日から前記対象日までの各日における前記流出量の予測結果の累積値とに基づき、当該対象日に対応した前記装填日における装填量を算出する、請求項２に記載の装填計画策定システム。
【請求項４】
前記装填計画部は、前記装填日と前記次回の装填が計画された候補日との間の間隔が、あらかじめ決められた装填間隔を超える場合には、当該装填間隔を超える直前の候補日以前の他の候補日を前記第２の候補日とすることを特徴とする、請求項１〜３のいずれか一項に記載の装填計画策定システム。
【請求項５】
前記装填計画部は、前記次回の装填を行う候補日における前記装填量を、当該候補日を前記装填日とみなして再帰的に算出することを特徴とする、請求項１〜４のいずれか一項に記載の装填計画策定システム。
【請求項６】
前記流出量の予測結果に基づき前記対象期間中に前記自動取引装置に対して前記取引媒体を装填する周期を算出し、算出した当該周期に基づき、前記第１の候補日及び前記第２の候補日を設定する候補日設定部を備えたことを特徴とする、請求項１〜５のいずれか一項に記載の装填計画策定システム。
【請求項７】
前記候補日設定部は、前記対象期間中の各日における前記取引媒体の流出量に関する予測結果の累積値を閾値と比較することで、前記周期を算出する、請求項６に記載の装填計画策定システム。
【請求項８】
前記候補日設定部は、前記各日における前記取引媒体の流出量に関する予測結果の累積値を、当該各日に対応する、前記対象期間以前の複数の他の日における流出実績のうちの最大値に基づき決定する、請求項７に記載の装填計画策定システム。
【請求項９】
前記装填計画部は、前記収容量の実績値を所定のタイミングごとに監視し、当該監視結果と前記流出量の予測結果とに基づき、前記収容量が前記下限値を下回ることが予測された場合に、少なくとも前記収容量が前記下限値を下回る以前の日に、前記自動取引装置への前記取引媒体の装填を計画し、当該日より後の装填計画を策定することを特徴とする、請求項１〜８のいずれか一項に記載の装填計画策定システム。
【請求項１０】
前記装填計画部は、少なくとも前記第２の候補日以前に前記監視を実行することを特徴とする、請求項９に記載の装填計画策定システム。
【請求項１１】
前記装填計画部は、あらかじめ決められた期間ごとに、前記監視を実行することを特徴とする、請求項９に記載の装填計画策定システム。
【請求項１２】
前記流出予測部は、前記対象期間以前における前記自動取引装置からの前記取引媒体の流出実績に基づき、前記対象期間における前記流出量を予測する、請求項１〜１１のいずれか一項に記載の装填計画策定システム。
【請求項１３】
前記上限値は、前記自動取引装置における前記取引媒体の最大収容量よりも低く設定されていることを特徴とする請求項１〜１２のいずれか一項に記載の装填計画策定システム。
【請求項１４】
自動取引装置に取引媒体の装填を行うための装填計画を策定する装填計画策定方法であって、
対象期間における前記自動取引装置からの前記取引媒体の流出量を予測することと、
前記流出量の予測結果に基づき、前記対象期間中において装填日と連続せず、かつ当該装填日よりも後の第１の候補日の前日における前記自動取引装置内の前記取引媒体の収容量が下限値を下回らないように算出された装填量の装填を前記装填日に計画することと、
前記第１の候補日と連続せず、かつ当該第１の候補日よりも後の第２の候補日の前日における前記収容量が前記下限値を下回らないように算出された装填量を装填後の前記装填日における前記収容量が上限値以下の場合には、当該装填量の装填を前記装填日に計画し、前記第１の候補日での装填を避けて、次回の装填を前記第２の候補日以降に計画することと、
を含むことを特徴とする、装填計画策定方法。
【請求項１５】
コンピュータに、自動取引装置に取引媒体の装填を行うための装填計画を策定させるためのプログラムであって、
対象期間における前記自動取引装置からの前記取引媒体の流出量を予測するステップと、
前記流出量の予測結果に基づき、前記対象期間中において装填日と連続せず、かつ当該装填日よりも後の第１の候補日の前日における前記自動取引装置内の前記取引媒体の収容量が下限値を下回らないように算出された装填量の装填を前記装填日に計画するステップと、
前記第１の候補日と連続せず、かつ当該第１の候補日よりも後の第２の候補日の前日における前記収容量が前記下限値を下回らないように算出された装填量を装填後の前記装填日における前記収容量が上限値以下の場合には、当該装填量の装填を前記装填日に計画し、前記第１の候補日での装填を避けて、次回の装填を前記第２の候補日以降に計画するステップと、
を実行させることを特徴とする、プログラム。
【発明の詳細な説明】
【技術分野】
【０００１】
本発明は、装填計画策定システム、装填計画策定方法、及びプログラムに関する。
【背景技術】
【０００２】
近年、自動取引装置（ＡＴＭ：ａｕｔｏｍａｔｅｄ−ｔｅｌｌｅｒ  ｍａｃｈｉｎｅ）が銀行、駅構内、およびコンビニエンスストアなど、多様な場所に設置されるようになっている。この自動取引装置は、利用者自身の操作で自動的に出金、入金および残高照会などの各種取引を行うことができ、銀行窓口の営業終了後も稼働しているため、今後、増々設置台数が増えるものと予想される。
【０００３】
このような自動取引装置における現金等の取引媒体の需要を管理し、効率的な運用を行うことは、銀行などの金融機関にとって極めて重要になっている。特に、自動取引装置内に収容されている取引媒体は、市場に投入されないため、必ずしも利益を生むとは限らない。そのため、自動取引装置への取引媒体の装填計画を策定するにあたり、取引媒体を効率的に運用するために当該自動取引装置に収容される取引媒体の量を最小限に留めるように、当該取引媒体の装填計画を策定する技術が求められている。
【０００４】
例えば、下記特許文献１には、日平均利用額に基づき算出された３０日間分の仮装填額が自動取引装置の最大装填額を超えない場合には、３０日間分の仮装填額を装填し、最大装填額を超える場合には、１５日間分の仮装填額を装填する技術が開示されている。
【０００５】
また、下記特許文献２には、たばこの自動販売機の装填計画を作成する際に、あらかじめ決められた日程における装填が不可能であった場合に、装填を前倒しで実行する技術が開示されている。
【０００６】
また、下記特許文献３には、商品補充システムにおいて、配達日変更許容度の大きい顧客を選択し、配達日を先送りにする技術が開示されている。
【先行技術文献】
【特許文献】
【０００７】
【特許文献１】特開２００１−３５７２０４号公報
【特許文献２】特開２００３−１７８１７９号公報
【特許文献３】特開２００１−２５００４７号公報
【発明の概要】
【発明が解決しようとする課題】
【０００８】
しかし、上記に示す技術では、資金装填の効率性が不十分であった。例えば、特許文献１に記載の技術では、３０日分の仮装填額が最大装填額を超えず、実際には、より多くの日数分の装填が可能な場合においても、３０日分の仮装填額を装填するため、３０日後に改めて装填を行う必要がある。
【０００９】
そこで、本発明は、上記問題に鑑みてなされたものであり、本発明の目的とするところは、資金装填の効率性を向上させることが可能な、新規かつ改良された装填計画策定システム、装填計画策定方法、及びプログラムを提供することにある。
【課題を解決するための手段】
【００１０】
上記課題を解決するために、本発明のある観点によれば、自動取引装置に取引媒体の装填を行うための装填計画を策定する装填計画策定システムであって、対象期間における前記自動取引装置からの前記取引媒体の流出量を予測する流出予測部と、前記流出量の予測結果に基づき、前記対象期間中において装填日と連続せず、かつ当該装填日よりも後の第１の候補日の前日における前記自動取引装置内の前記取引媒体の収容量が下限値を下回らないように算出された装填量の装填を前記装填日に計画する装填計画部と、を備え、当該装填計画部は、前記第１の候補日と連続せず、かつ当該第１の候補日よりも後の第２の候補日の前日における前記収容量が前記下限値を下回らないように算出された装填量を装填後の前記装填日における前記収容量が上限値以下の場合には、当該装填量の装填を前記装填日に計画し、前記第１の候補日での装填を避けて、次回の装填を前記第２の候補日以降に計画すること、を特徴とする、装填計画策定システムが提供される。
【００１１】
前記第１の候補日は、前記対象期間中において装填日と連続せず、かつ当該装填日よりも後の互いに不連続である複数の候補日のうち、前記装填日の直後の候補日であり、前記装填計画部は、前記第１の候補日以降の前記複数の候補日それぞれを時系列に沿って順次対象日として、前記流出量の予測結果に基づき、少なくとも前記対象日の前日における前記自動取引装置内の前記取引媒体の収容量が前記下限値を下回らないように、当該対象日に対応した前記装填日における装填量を順次算出し、算出した前記装填量を装填後の前記装填日における前記収容量が前記上限値を上回った場合には、当該装填量に対応する前記対象日の直前の候補日を前記第２の候補日としてもよい。
【００１２】
前記装填計画部は、前記装填日における装填前の前記収容量の予測値と、前記装填日から前記対象日までの各日における前記流出量の予測結果の累積値とに基づき、当該対象日に対応した前記装填日における装填量を算出してもよい。
【００１３】
前記装填計画部は、前記装填日と前記次回の装填が計画された候補日との間の間隔が、あらかじめ決められた装填間隔を超える場合には、当該装填間隔を超える直前の候補日以前の他の候補日を前記第２の候補日としてもよい。
【００１４】
前記装填計画部は、前記次回の装填を行う候補日における前記装填量を、当該候補日を前記装填日とみなして再帰的に算出してもよい。
【００１５】
前記流出量の予測結果に基づき前記対象期間中に前記自動取引装置に対して前記取引媒体を装填する周期を算出し、算出した当該周期に基づき、前記第１の候補日及び前記第２の候補日を設定する候補日設定部を備えてもよい。
【００１６】
前記候補日設定部は、前記対象期間中の各日における前記取引媒体の流出量に関する予測結果の累積値を閾値と比較することで、前記周期を算出してもよい。
【００１７】
前記候補日設定部は、前記各日における前記取引媒体の流出量に関する予測結果の累積値を、当該各日に対応する、前記対象期間以前の複数の他の日における流出実績のうちの最大値に基づき決定してもよい。
【００１８】
前記装填計画部は、前記収容量の実績値を所定のタイミングごとに監視し、当該監視結果と前記流出量の予測結果とに基づき、前記収容量が前記下限値を下回ることが予測された場合に、少なくとも前記収容量が前記下限値を下回る以前の日に、前記自動取引装置への前記取引媒体の装填を計画し、当該日より後の装填計画を策定してもよい。
【００１９】
前記装填計画部は、少なくとも前記第２の候補日以前に前記監視を実行してもよい。
【００２０】
前記装填計画部は、あらかじめ決められた期間ごとに、前記監視を実行してもよい。
【００２１】
前記流出予測部は、前記対象期間以前における前記自動取引装置からの前記取引媒体の流出実績に基づき、前記対象期間における前記流出量を予測してもよい。
【００２２】
前記上限値は、前記自動取引装置における前記取引媒体の最大収容量よりも低く設定されていてもよい。
【００２３】
また、上記課題を解決するために、本発明の別の観点によれば、自動取引装置に取引媒体の装填を行うための装填計画を策定する装填計画策定方法であって、対象期間における前記自動取引装置からの前記取引媒体の流出量を予測することと、前記流出量の予測結果に基づき、前記対象期間中において装填日と連続せず、かつ当該装填日よりも後の第１の候補日の前日における前記自動取引装置内の前記取引媒体の収容量が下限値を下回らないように算出された装填量の装填を前記装填日に計画することと、前記第１の候補日と連続せず、かつ当該第１の候補日よりも後の第２の候補日の前日における前記収容量が前記下限値を下回らないように算出された装填量を装填後の前記装填日における前記収容量が上限値以下の場合には、当該装填量の装填を前記装填日に計画し、前記第１の候補日での装填を避けて、次回の装填を前記第２の候補日以降に計画することと、を含むことを特徴とする、装填計画策定方法が提供される。
【００２４】
また、上記課題を解決するために、本発明の別の観点によれば、コンピュータに、自動取引装置に取引媒体の装填を行うための装填計画を策定させるためのプログラムであって、対象期間における前記自動取引装置からの前記取引媒体の流出量を予測するステップと、前記流出量の予測結果に基づき、前記対象期間中において装填日と連続せず、かつ当該装填日よりも後の第１の候補日の前日における前記自動取引装置内の前記取引媒体の収容量が下限値を下回らないように算出された装填量の装填を前記装填日に計画するステップと、前記第１の候補日と連続せず、かつ当該第１の候補日よりも後の第２の候補日の前日における前記収容量が前記下限値を下回らないように算出された装填量を装填後の前記装填日における前記収容量が上限値以下の場合には、当該装填量の装填を前記装填日に計画し、前記第１の候補日での装填を避けて、次回の装填を前記第２の候補日以降に計画するステップと、を実行させることを特徴とする、プログラムが提供される。
【発明の効果】
【００２５】
以上説明したように本発明によれば、資金装填の効率性を向上させることが可能な装填計画策定方法、及びプログラムを提供される。
【図面の簡単な説明】
【００２６】
【図１】本発明の一実施形態に係る情報処理システムの概要を示す説明図である。
【図２】同実施形態にかかる装填計画策定システムの概略的な動作について説明するための図である。
【図３】同実施形態に係る装填計画管理システムの内部構成を示したブロック図である。
【図４】同実施形態にかかる装填計画策定システムの一連の動作を示したフローチャートである。
【図５】累積日数ごとの取引媒体の流出量の予測値を示したデータの一例を示した図である。
【図６】装填周期の設定に係る動作の一例について説明するための図である。
【図７】装填周期の設定に係る動作の一例について説明するための図である。
【図８】装填周期の設定に係る動作の一例について説明するための図である。
【図９】装填周期の設定に係る動作の他の一例について説明するための図である。
【図１０】装填周期の設定に係る動作の他の一例について説明するための図である。
【図１１】装填周期の設定に係る動作の他の一例について説明するための図である。
【図１２】装填量の算出に係る動作の一例について説明するための図である。
【図１３】装填量の算出に係る動作の一例について説明するための図である。
【発明を実施するための形態】
【００２７】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２８】
＜１．構成＞
［１−１．基本構成］
本発明の一実施形態に係る装填計画策定システム１は、資金装填の効率性を向上させることを目的とする。また、本実施形態に係る装填計画策定システム１は、自動取引装置７に収容された取引媒体の収容量の変化が日によって異なる場合においても、当該変化に追随して収容量が所定量以上に維持されるように装填量を算出する。以下では、まず、図１を参照して、本発明の一実施形態に係る装填計画策定システム１を含む情報処理システムの概要について説明する。なお、以降では、単に「流出量」と記載した場合には、特に説明が無い限りは「取引媒体の流出量」を指すものとする。
【００２９】
図１は、本実施形態に係る装填計画策定システム１を含む情報処理システムの概要を示す説明図である。図１に示したように、情報処理システムは、装填計画策定システム１と、実績データ管理部２と、自動取引装置中央管理部３と、金融機関ホスト４と、支店５−１及び５−２と、端末管理部６と、自動取引装置７−１及び７−２と、専用網８とを含む。なお、支店５−１、５−２を特に区別する必要が無い場合には、「支店５」と記載する場合がある。同様に、自動取引装置７−１、７−２を特に区別する必要が無い場合には、「自動取引装置７」と記載する場合がある。以降では、本実施形態に係る情報処理システムが有する各構成要素について説明する。
【００３０】
（支店５）
支店５は、金融機関の店舗である。図１に示したように、支店５には、端末管理部６および複数の自動取引装置７が設置される。なお、本明細書では、端末管理部６および自動取引装置７が金融機関の店舗である支店５に設置される例を説明するが、コンビニエンスストア、駅構内、デパート、ホテル、オフィスビルなどの多様な施設に設置され得る。
【００３１】
（端末管理部６）
端末管理部６は、同一の支店５内に設置された自動取引装置７を管理する機能を有する。具体的には、端末管理部６は、自動取引装置７が保有する取引媒体の保有量や稼働状況、取引内容等を管理する。以下では、自動取引装置７が保有する取引媒体の保有量（換言すると、自動取引装置７に収容された取引媒体の収容量）を、有高とも称する。端末管理部６は、専用網８を介して、自動取引装置中央管理部３および金融機関ホスト４に接続されており、管理下にある自動取引装置７における有高等の情報を、自動取引装置中央管理部３および金融機関ホスト４に送信する。
【００３２】
（自動取引装置７）
自動取引装置７は、金融機関の顧客による操作に基づいて金銭の取引を実行する顧客操作型端末である。自動取引装置７は、現金や通帳、カード、レシート用紙等の多様な取引媒体が装填されており、取引処理の際に取引媒体が流出／流入する。本明細書では、取引媒体の一例として現金を対象とし、装填計画策定システム１は自動取引装置７に現金を装填するための装填計画を策定するものとする。
【００３３】
（専用網８）
専用網８は、専用網８に接続されている装置から送信される情報の有線、または無線の伝送路である。専用網８は、金融機関のネットワークであり、例えば専用線またはＩＰ−ＶＰＮ（Ｉｎｔｅｒｎｅｔ  Ｐｒｏｔｏｃｏｌ−Ｖｉｒｔｕａｌ  Ｐｒｉｖａｔｅ  Ｎｅｔｗｏｒｋ）により構成される。
【００３４】
（金融機関ホスト４）
金融機関ホスト４は、自動取引装置７の上位装置として、専用網８を介して自動取引装置７と通信することにより、各種取引を制御する。例えば、金融機関ホスト４は、自動取引装置７を操作する顧客の認証や、自動取引装置７において顧客により指示された入金や振込などの金銭取引（勘定の取引処理）を実行する。また、金融機関ホスト４は、口座番号、暗証番号、氏名、住所、年齢、生年月日、電話番号、職業、家族構成、年収、預金口座残高などの顧客情報（口座の元帳）を管理する。
【００３５】
（自動取引装置中央管理部３）
自動取引装置中央管理部３は、専用網８を介して自動取引装置７と通信することにより、各自動取引装置７の稼働状況を監視する。例えば、自動取引装置中央管理部３は、自動取引装置７内に残っている現金の量、取引の状況、エラー（現金切れや紙幣詰まりなど）の有り無しなどを監視している。
【００３６】
また、自動取引装置中央管理部３は、自動取引装置７が保有する現金の有高を取得する取得部としての機能を有する。より具体的には、自動取引装置中央管理部３は、専用網８を介して端末管理部６と通信を行うことにより、端末管理部６の管理下にある各自動取引装置７の有高や取引の状況を示す情報（例えば、流出量）を監視する。自動取引装置中央管理部３は、自動取引装置７の有高や取引の状況を示す情報を、実績データ管理部２に出力する。なお、取引の状況を示す情報には、少なくとも、自動取引装置７からの取引媒体の流出実績が含まれている。また、取引の状況を示す情報には、自動取引装置７への取引媒体の流入実績が含まれていてもよい。
【００３７】
（実績データ管理部２）
実績データ管理部２は、各自動取引装置７の有高や取引の状況を示す情報を、所定の期間ごと（例えば、日ごと）に自動取引装置中央管理部３から取得し、取得した有高や取引の状況を示す情報を、過去の実績データとして蓄積する。また、実績データ管理部２は、後述する装填計画策定システム１からの要求に基づき、各自動取引装置７の過去の実績データを、当該装填計画策定システム１に出力する。
【００３８】
（装填計画策定システム１）
装填計画策定システム１は、対象となる自動取引装置７の過去の実績データを取得し、取得した過去の実績データに基づいて、未来の流出量及び有高を予測する。なお、以降では、装填計画策定システム１が予測した未来の流出量及び有高を、「流出予測」と呼ぶ場合がある。そして、装填計画策定システム１は、対象となる自動取引装置７の有高と流出予測とに基づいて、どの日にどれだけの量の取引媒体を装填するかを示す装填計画を策定する。
【００３９】
ここで、図２を参照しながら、本実施形態にかかる装填計画策定システム１の概略的な動作について説明する。図２は、本実施形態にかかる装填計画策定システム１の概略的な動作について説明するための図であり、自動取引装置７への装填量と当該自動取引装置７の収容量の変化について示している。
【００４０】
図２において、横軸は時系列を示しており、縦軸は取引媒体の量を示している。また、図２は、自動取引装置７への取引媒体の装填を行う候補日として、３／１、３／６、３／８、３／１１、３／１５、３／１８、３／２２、３／２５、３／２７、３／２９の１１日が設定されている場合の例を示している。なお、本実施形態に係る装填計画策定システム１は、各候補日を、互いに不連続となるように設定するとよい。
【００４１】
グラフｇ３１〜ｇ３８は、流出予測に基づき、設定された各候補日の少なくとも前日において、自動取引装置７の有高があらかじめ決められた下限値を下回らないように、取引媒体の装填が計画された場合の、各候補日における装填量の一例を示している。なお、以降では、この「あらかじめ決められた下限値」を、単に「下限値」と呼ぶ場合がある。また、この下限値は、自動取引装置７の有高が０の場合でもよいし、０よりも大きい値（当該０に対して、あらかじめ決められたマージンを加算した値）でもよい。
【００４２】
また、グラフｇ７０は、グラフｇ３１〜ｇ３８に示すように装填を計画した場合における、自動取引装置７の有高の推移に関する予測値を示している。グラフｇ３１〜ｇ３８が示すように、月初では月末に比べて候補日間の間隔（即ち、装填間隔）が長く、各候補日における装填量も少ない。即ち、図２に示す例は、取引媒体の流出量が日々変化し、それに伴って自動取引装置７の有高も日々変化するため、各候補日において必要な装填量が、日によって異なる場合の一例を示している。
【００４３】
また、グラフｇ１１〜ｇ１４は、本実施形態に係る装填計画策定システム１により計画された装填計画の一例を示している。即ち、図２に示す例では、装填計画策定システム１は、３／１、３／１１、３／１８、３／２２、３／２７に自動取引装置７への取引媒体の装填を計画している。また、グラフｇ１１〜ｇ１４のそれぞれは、装填計画策定システム１により計画された、３／１、３／１１、３／１８、３／２２、３／２７それぞれにおける装填量を示している。また、グラフｇ５０は、グラフｇ１１〜ｇ１４に示すように装填を計画した場合における、自動取引装置７の有高の推移に関する予測値を示している。
【００４４】
例えば、グラフｇ１１に示すように、装填計画策定システム１は、取引媒体を装填後の自動取引装置７の有高が、あらかじめ決められた上限値を超えない範囲で、以降の候補日、即ち、３／６及び３／８の分の装填量を、３／１の装填量に加算している。なお、以降では、この「あらかじめ決められた上限値」を、単に「上限値」と呼ぶ場合がある。また、この上限値は、自動取引装置７が収容できる取引媒体の最大値でもよいし、当該最大値よりも小さい値（当該最大値に対して、あらかじめ決められたマージンを減算した値）でもよい。
【００４５】
このように装填量を算出することで、グラフｇ５０が示すように、装填計画策定システム１は、自動取引装置７の有高を、３／８よりも後の候補日の前日（即ち、３／１０）まで、下限値以上に維持することが可能となる。そして、装填計画策定システム１は、図２に示すように、３／６及び３／８における装填を計画しないことで、装填回数を低減することも可能となる。
【００４６】
即ち、本実施形態に係る装填計画策定システム１は、装填日よりも後の複数の候補日それぞれを時系列に沿って順次対象日とし、流出予測に基づき、少なくとも各対象日の前日における自動取引装置７の有高が下限値を下回らないように、装填日における装填量を算出する。そして、装填計画策定システム１は、算出した装填量を装填後の装填日における有高の予測値が上限値を上回った場合には、当該装填量に対応する対象日の直前の候補日に基づき算出された装填量の装填を、当該装填日に計画する。また、装填計画策定システム１は、次回の装填を、装填後の有高の予測値が上限値を上回った直前の候補日よりも後の候補日に設定することが可能である。即ち、自動取引装置７の有高が下限値を下回らない限り、次回の装填が設定された候補日（装填日）までに到来する他の候補日については、自動取引装置７への取引媒体の装填がスキップされる。
【００４７】
なお、装填計画策定システム１は、次回の装填を行う候補日における装填量については、当該候補日を新たな装填日とみなして、上記に示した方法に基づき、再帰的に装填量を算出し、さらに次の装填日を設定する。以上のようにして、装填計画策定システム１は、あらかじめ決められた未来の期間における、装填計画を、当該未来の期間における流出予測に基づき策定する。なお、この装填計画の策定対象である未来の期間を、以降では「対象期間」と呼ぶ場合がある。
【００４８】
以上のようにして、装填計画策定システム１は、対象期間中における装填計画を策定し、策定した装填計画を示す計画データを出力する。
【００４９】
なお、装填計画策定システム１は、例えば、各種演算処理を実行するＣＰＵ（Ｃｅｎｔｒａｌ  Ｐｒｏｃｅｓｓｉｎｇ  Ｕｎｉｔ）、各種情報を記憶するためのＲＡＭ（Ｒａｎｄｏｍ  Ａｃｃｅｓｓ  Ｍｅｍｏｒｙ）及びＲＯＭ（Ｒｅａｄ  Ｏｎｌｙ  Ｍｅｍｏｒｙ）のような記憶部を備えた情報処理装置により構成することができる。
【００５０】
また、装填計画策定システム１（例えば、情報処理装置）は、上述した、過去の実績データの取得、取得した実績データに基づく流出予測、及び、当該流出予測に基づく装填計画の策定に係る動作を、自動で実行する。具体的な一例として、装填計画策定システム１は、あらかじめ決められたタイミングごとに上記各動作を実行してもよい。また、他の一例として、装填計画策定システム１は、所定の処理が実行された場合（例えば、実績データ管理部２により過去の実績データが更新された場合）に、当該処理に連動して上記各動作を実行してもよい。もちろん、装填計画策定システム１は、装填計画策定システム１の管理者（以降では、単に「管理者」と記載する場合がある）からの指示を受けて、上記各処理を実行するようにしてもよい。
【００５１】
また、上記では、装填計画策定システム１は、ネットワークを介して接続された複数の情報処理装置により構成されてもよい。この場合には、「１−２．装填計画策定システム１の内部構成」において後述する、装填計画策定システム１の各構成の位置は特に限定されないことは言うまでもない。
【００５２】
以上説明したように、装填計画を策定することで、本実施形態に係る装填計画策定システム１は、図２に示すように、有高の変化が日によって異なる場合においても、当該変化に追随して当該有高が所定量以上に維持されるように装填量を算出することが可能となる。また、装填計画策定システム１が作成した計画データに基づき、自動取引装置７への取引媒体の装填を行うことで、図２に示すように、一部の候補日における装填を行う必要がなくなるため、対象期間中の装填日を少なく抑え、取引媒体の装填に係る作業を効率化することが可能となる。
【００５３】
なお、策定された装填計画に基づき、装填が計画された候補日（即ち、装填日）に、警送により行われる自動取引装置７への取引媒体の装填が「計画装填」に相当する。また、計画装填以外に、当初の装填計画とは異なるタイミングで、警送により自動取引装置７への取引媒体の装填が行われる場合もある。そこで、以降では、装填が計画された候補日とは異なる他の日に、追加で行われる装填を「追加装填」と呼ぶ場合がある。追加装填は、例えば、装填計画では設定されていないが、事前に（例えば、２〜１営業日前、もしくは、当日営業開始前）に追加で計画される装填を示すものとする。また、営業開始後に装填が実施される場合もある。このように、リアルタイムで実施される装填を、「臨時装填」と呼ぶ場合がある。
【００５４】
［１−２．装填計画策定システム１の内部構成］
次に、図３を参照して、装填計画策定システム１の内部構成について詳細に説明する。図３は、本実施形態に係る装填計画策定システム１の概略的な構成を示したブロック図である。図３に示すように、装填計画策定システム１は、流出予測部１２と、候補日設定部１４と、候補日データ記憶部１６と、装填計画部１８とを含む。
【００５５】
（流出予測部１２）
流出予測部１２は、実績データ管理部２から過去の実績データを取得する。この過去の実績データには、例えば、過去の期間における、自動取引装置７の有高や、当該自動取引装置７からの取引媒体の流出実績が含まれている。
【００５６】
流出予測部１２は、取得した過去の実績データに基づき、対象期間中の各日における流出量を予測する。このとき、流出予測部１２は、例えば、対象期間中の一の日の流出量を、過去数カ月の実績データのうち、当該一の日と同日における流出量の統計または平均に基づき算出してもよい。また、流出予測部１２は、対象期間中の一の日の流出量を、過去数年の実績データのうち、当該一の日と同月同日における流出量の統計または平均に基づき算出してもよい。
【００５７】
流出予測部１２は、以上のようにして算出した対象期間中の各日における流出量の予測結果（即ち、対象期間中の流出予測）と、実績データに含まれた過去の期間における自動取引装置７の有高（即ち、有高の実績値）とを、後述する装填計画部１８に出力する。
【００５８】
（候補日設定部１４）
候補日設定部１４は、実績データ管理部２から過去の実績データを取得する。候補日設定部１４は、取得した過去の実績データに基づき、対象期間中において、自動取引装置７への取引媒体の装填を行う候補日を設定する。なお、候補日設定部１４により設定される候補日は、あくまで装填を行う装填日の候補となる日を示すものであり、必ずしも各候補日において装填が行われることを示しているとは限らない。
【００５９】
具体的な一例として、候補日設定部１４は、取得した過去の実績データに基づき、自動取引装置７の有高が下限値を下回らないように維持することが可能な装填周期を設定し、設定した装填周期に基づき、対象期間中の各候補日を設定してもよい。なお、設定した装填周期に基づき候補日を設定する場合の候補日設定部１４の動作の詳細については、「２．処理」において別途後述する。
【００６０】
また、候補日設定部１４は、算出した周期に基づき設定した候補日の少なくとも一部を、操作部（図示しない）を介した管理者からの指定に基づき、他の日に変更できるようにしてもよい。
【００６１】
もちろん、候補日設定部１４は、操作部を介して管理者からの指定に基づき、各候補日を設定してもよい。具体的な一例として、候補日設定部１４は、管理者により指定された候補日を示す情報が記憶されたデータベースを参照することで、各候補日を認識してもよい。
【００６２】
なお、候補日設定部１４は、自身が各候補日を設定する限り、当該各候補日を互いに不連続となるように設定するとよい。
【００６３】
候補日設定部１４は、設定した候補日を示すデータ（以降では「候補日データ」と記載する場合がある）を候補日データ記憶部１６に記憶させる。
【００６４】
（候補日データ記憶部１６）
候補日データ記憶部１６は、候補日設定部１４により設定された各候補日を示す候補日データを記憶する。候補日データ記憶部１６に記憶された候補日データは、後述する装填計画部１８により読み出される。
【００６５】
（装填計画部１８）
装填計画部１８は、装填量算出部１８２と、装填計画設定部１８４とを含む。装填計画部１８は、流出予測部１２から、対象期間中の流出予測と有高の実績値とを取得する。また、装填計画部１８は、対象期間中に設定された候補日を示す候補日データを候補日データ記憶部１６から読み出す。
【００６６】
装填計画部１８は、取得した対象期間中の流出予測及び有高の実績値と、候補日データ記憶部１６から読み出した候補日データとを装填量算出部１８２及び装填計画設定部１８４に出力する。そして、装填計画部１８は、装填計画設定部１８４に装填日を設定させ、当該装填日における装填量を装填量算出部１８２に算出させる。
【００６７】
装填計画部１８からの指示を受け、装填計画設定部１８４は、最初の装填日を決定する。このとき、装填計画設定部１８４は、例えば、候補日データが示す複数の候補日のうち、最初の候補日を最初の装填日として設定してもよい。最初の装填日を設定すると、装填計画設定部１８４は、当該装填日を装填量算出部１８２に通知する。装填量算出部１８２は、取得した対象期間中の流出予測及び有高の実績値に基づき、装填計画設定部１８４から通知された装填日における装填量を算出する。
【００６８】
なお、以降は、装填量算出部１８２による装填量の算出結果に基づき、装填計画設定部１８４が、対象となる装填日の装填計画を策定するとともに、次回の装填日を決定する。そして、装填量算出部１８２が、当該次回の装填日における装填量を改めて算出する。以上のように、装填量算出部１８２と装填計画設定部１８４と連携して動作することで、対象期間中における装填日及び当該装填日における装填量を決定することで装填計画を策定する。
【００６９】
なお、装填量算出部１８２と装填計画設定部１８４と連携により、対象期間中における装填日及び当該装填日における装填量が決定される処理の詳細については、「２．処理」において別途後述する。
【００７０】
また、装填計画部１８は、対象期間中の少なくとも一部の装填日を指定もしくは変更できるようにしてもよい。具体的な一例として、装填計画部１８は、直前の対象期間に対する装填計画の策定時に、今回の対象期間中の一部の装填日（例えば、最初の装填日）を策定して記憶しておき、当該装填日を装填計画設定部１８４に設定させてもよい。
【００７１】
また、他の一例として、装填計画部１８は、対象期間中の少なくとも一部の装填日を、操作部（図示しない）を介した管理者の指示に基づき、指定もしくは変更できるようにしてもよい。具体的な一例として、流出予測よりも流出量の実績値が高く、次の装填日まで有高が下限値を下回らないように維持することが困難な場合には、管理者の指示の元に、当初予定していない日における取引媒体の装填や、当日に臨時で行う取引媒体の装填が行われる場合がある（即ち、管理者により、追加装填や臨時装填が指示される場合がある）。このように、管理者により取引媒体の装填が指示された場合には、装填計画部１８は、対象期間中における装填日の指定を管理者から受け、当該装填日を装填計画設定部１８４に設定させてもよい。この場合には、装填量算出部１８２及び装填計画設定部１８４は、指定された装填日における装填量を算出するとともに、当該装填量の算出結果に基づき、指定された装填日以降の他の装填日における装填計画を策定してもよい。
【００７２】
また、装填計画部１８は、計画された装填日を、管理者からの指定に基づき変更（例えば、前倒しもしくは先送り）してもよい。例えば、計画された装填日が祝日であり、警送が、当該装填日に自動取引装置７への取引媒体の装填を行えず、管理者により当該装填日の装填を他の日に変更される場合がある。このような場合には、装填計画部１８は、変更後の装填日における装填量を算出するとともに、当該装填量の算出結果に基づき、指定された装填日以降の他の装填日における装填計画を策定してもよい。また、装填日を先送りにした場合には、装填計画部１８は、当該装填日の直前の他の装填日における装填量を算出し直してもよい。
【００７３】
以上のようにして、装填計画部１８は、対象期間中における装填計画を策定し、策定した装填計画を示す計画データを出力する。
【００７４】
なお、上記に説明した装填計画策定システム１の各構成間の情報の流れや、当該各構成の動作を実現可能であれば、当該各構成を実現するためのハードウェア構成は特に限定されない。例えば、上記に説明した装填計画策定システム１の各構成のうち、一部の構成と他の一部の構成とのそれぞれを、ネットワークを介して接続された互いに異なる複数の情報処理装置により実現してもよい。また、他の一例として、装填計画策定システム１の各構成を１つの情報処理装置により実現してもよい。
【００７５】
＜２．処理＞
次に、図４〜図１３を参照しながら、装填計画策定システム１の一連の処理の流れについて説明する。まず、図４を参照する。図４は、本実施形態にかかる装填計画策定システム１の一連の動作を示したフローチャートである。
【００７６】
（ステップＳ１０２：流出量の予測）
まず、流出予測部１２は、実績データ管理部２から過去の実績データを取得する。この過去の実績データには、例えば、対象期間の前日までにおける自動取引装置７の有高や、当該自動取引装置７からの取引媒体の流出実績が含まれている。
【００７７】
流出予測部１２は、取得した過去の実績データに基づき、対象期間中の各日における流出量を予測する。このとき、流出予測部１２は、例えば、対象期間中の一の日の流出量を、過去数カ月の実績データのうち、当該一の日と同日における流出量の統計または平均に基づき算出してもよい。また、流出予測部１２は、対象期間中の一の日の流出量を、過去数年の実績データのうち、当該一の日と同月同日における流出量の統計または平均に基づき算出してもよい。
【００７８】
流出予測部１２は、以上のようにして算出した対象期間中の各日における流出量の予測結果（即ち、対象期間中の流出予測）と、実績データに含まれた対象期間の前日までにおける自動取引装置７の有高（即ち、有高の実績値）とを、後述する装填計画部１８に出力する。
【００７９】
（ステップＳ１０４：候補日の設定）
候補日設定部１４は、実績データ管理部２から過去の実績データを取得する。候補日設定部１４は、実績データ管理部２から過去の実績データに基づき、対象期間中において、自動取引装置７への取引媒体の装填を行う候補日を設定する。
【００８０】
ここで、図５〜図８を参照しながら、自動取引装置７への取引媒体の装填を行う候補日を設定する方法の一例として、過去の実績データに基づき装填周期を設定し、当該装填周期に基づき候補日を設定する方法について説明する。なお、ここでは、候補日設定部１４は、装填周期の最大値を１４日とし、当該装填周期を４日、７日、及び１４日のいずれかに設定するものとして説明する。
【００８１】
まず、候補日設定部１４は、過去の実績データに基づき、累積日数ごとの流出量の予測値を、装填計画の策定の対象となる自動取引装置７ごとに算出する。例えば、図５は、累積日数ごとの取引媒体の流出量の予測値を示したデータの一例を示した図である。図５に示したデータｄ１０において、店番ｄ１２は、対象となる自動取引装置７が配置された支店やスポットを識別するための識別子（例えば、ＩＤ）である。また、機番ｄ１４は、各自動取引装置７を識別するための識別子である。また、種別ｄ１６は、流出量の算出対象となる取引媒体の種別（例えば、金種）を示している。即ち、図５に示す例では、候補日設定部１４は、万円券及び千円券のそれぞれについて累積日数ごとの流出量を算出している。
【００８２】
また、参照符号ｄ１８は、算出された累積日数ごとの流出量の予測値を示している。即ち、図５に示す例では、候補日設定部１４は、累積日数の最大を装填周期の最大値である１４日として、累積日数が１日〜１４日の範囲で、各自動取引装置７から流出した種別ｄ１６ごとの流出量の予測値を、累積日数ごとに算出している。
【００８３】
ここで、候補日設定部１４による、累積日数ごとの流出量の算出に係る処理の一例について説明する。例えば、候補日設定部１４は、過去の実績データのうち少なくとも一部の期間（過去の期間）の実績データを抽出し、抽出した実績データが示す期間中の各日を順次基準日に設定し、設定した基準日を基準（例えば、１日目）とした所定期間（例えば、２週間）における流出量の実績値を、累積日数ごとに算出する。
【００８４】
そして、候補日設定部１４は、順次設定された各基準日に基づき算出された当該所定期間における流出量が最大となる、累積日数ごとの流出量の実績値を、累積日数ごとの流出量の予測値として設定する。また、他の一例として、候補日設定部１４は、順次設定された各基準日に基づき算出された累積日数ごとの流出量の実績値の平均や統計に基づき、累積日数ごとの流出量の予測値を算出してもよい。
【００８５】
以上のようにして、候補日設定部１４は、過去の実績データに基づき、累積日数ごとの流出量の予測値を算出する。
【００８６】
累積日数ごとの流出量の予測値を算出すると、候補日設定部１４は、累積日数ごとの流出量を閾値と比較することで、流出量が当該閾値を超えない累積日数を周期として設定する。例えば、図５に示す例では、候補日設定部１４は、閾値を「２０００」として設定し、各自動取引装置７について、種別ｄ１６ごとに周期を、４日、７日、及び１４日のうちのいずれかに特定している。
【００８７】
具体的な一例として、機番ｄ１４が「１１」、かつ種別ｄ１６が「万（即ち、万円券）」のデータに着目する。この場合には、累積日数が「７日」の時点では流出量が閾値を超えておらず、かつ、「１４日」の時点において流出量が閾値を超えていることがわかる。そのため、候補日設定部１４は、機番ｄ１４が「１１」、かつ種別ｄ１６が「万」に対応する周期を「７日」に設定する。
【００８８】
また、他の一例として、機番ｄ１４が「１３」、かつ種別ｄ１６が「万」のデータに着目する。この場合には、累積日数が「４日」の時点では流出量が閾値を超えておらず、かつ、「１４日」の時点において流出量が閾値を超えていることがわかる。そのため、候補日設定部１４は、機番ｄ１４が「１３」、かつ種別ｄ１６が「万」に対応する周期を、流出量が閾値を超えた「５日」の直前の累積日数である「４日」に設定する。
【００８９】
また、他の一例として、機番ｄ１４が「１２」、かつ種別ｄ１６が「千（即ち、千円券）」のデータに着目する。この場合には、累積日数が「１４日」の時点においても流出量が閾値を超えていないことがわかる。そのため、候補日設定部１４は、機番ｄ１４が「１２」、かつ種別ｄ１６が「千」に対応する周期を「１４日」に設定する。
【００９０】
以上のようにして、候補日設定部１４は、各自動取引装置７について種別ｄ１６ごとに、流出量が当該閾値を超えない累積日数に基づき、周期を４日、７日、及び１４日のうちのいずれかに設定する。例えば、図６は、装填周期の設定に係る動作の一例について説明するための図であり、図６に示すデータｄ２０は、図５に示したデータｄ１０に基づき特定された周期の一例を示している。なお、参照符号ｄ２２は、累積日数ごとの取引媒体の流出量の予測値に基づき特定された周期を日数で示している。
【００９１】
次に、候補日設定部１４は、各自動取引装置７について、種別ｄ１６ごとに特定された周期ｄ２２を互いに比較し、より短い周期を当該自動取引装置７の装填周期として設定する。
【００９２】
例えば、機番ｄ１４が「１３」のデータに着目する。この場合には、種別ｄ１６が「万」に対応する周期ｄ２２が「４」であり、種別ｄ１６が「千」に対応する周期が「７」であることがわかる。そのため、候補日設定部１４は、機番ｄ１４が「１３」に対応する周期ｄ２２を、より短い周期である「４」に設定する。このようにして設定された周期ｄ２２（即ち、「４日」）が、機番ｄ１４が「１３」で示された自動取引装置７の装填周期に相当する。
【００９３】
また、他の一例として、機番ｄ１４が「１１」のデータに着目する。この場合には、種別ｄ１６が「万」に対応する周期ｄ２２が「７」であり、種別ｄ１６が「千」に対応する周期も「７」であることがわかる。そのため、候補日設定部１４は、機番ｄ１４が「１１」に対応する周期ｄ２２を「７」に設定する。
【００９４】
以上のようにして、候補日設定部１４は、各自動取引装置７について装填周期を設定する。例えば、図７は、装填周期の設定に係る動作の一例について説明するための図であり、図７に示すデータｄ３０は、図６に示したデータｄ２０に基づき設定された、各自動取引装置７の装填周期の一例を示している。なお、図７に示す周期ｄ２２が、各自動取引装置７の装填周期に相当する。
【００９５】
各自動取引装置７について装填周期を設定すると、候補日設定部１４は、設定された装填周期に基づき、各自動取引装置７に取引媒体を装填する曜日を設定する。例えば、図８は、装填周期の設定に係る動作の一例について説明するための図であり、図８に示されたデータｄ４０は、図７に示したデータｄ３０に基づき設定された、各自動取引装置７に取引媒体を装填する曜日に関する設定の一例を示している。図８において、参照符号ｄ４２は、曜日ごとの装填の設定情報を示しており、「日曜日」〜「土曜日」までの各曜日に対して、装填が設定されているか否かが「０」または「１」により示されている。具体的には、「１」は装填が設定されている曜日であることを示し、「０」は装填が設定されていない曜日であることを示している。また、設定情報ｄ４２は、隔週の装填を示す「隔週」の項目を含んでもよい。即ち、対応する自動取引装置７への装填を隔週で行えばよい場合（例えば、装填周期が１４日の場合）には、「隔週」の項目に「１」が設定され、毎週行う場合（例えば、装填周期が７日以下の場合）には、「隔週」の項目に「０」が設定される。
【００９６】
具体的な一例として、機番ｄ１４が「１１」のデータに着目する。この場合には、図６のデータｄ３０に示すように、周期ｄ２２（即ち、装填周期）には「７」が設定されている。そのため、候補日設定部１４は、機番ｄ１４が「１１」で示された自動取引装置７に対して１週間に１回装填が行われるものとし、自動取引装置７に取引媒体を装填する曜日として「日曜日」〜「土曜日」のうちのいずれか１日を設定する。例えば、図８に示す例では、候補日設定部１４は、機番ｄ１４が「１１」で示された自動取引装置７への取引媒体の装填を「月曜日」に設定している。
【００９７】
なお、候補日設定部１４は、装填が設定された曜日間の期間が装填周期を超えない限りは、各自動取引装置７に取引媒体を装填する曜日として、「日曜日」〜「土曜日」のうちのどの曜日を設定してもよい。また、候補日設定部１４は、累積日数ごとの流出量の推移に基づき、自動取引装置７に取引媒体を装填する曜日として、「日曜日」〜「土曜日」のうちのどの曜日に設定するかを決定してもよい。
【００９８】
また、他の一例として、機番ｄ１４が「１３」のデータに着目する。この場合には、図６のデータｄ３０に示すように、周期ｄ２２（即ち、装填周期）には「４」が設定されている。そのため、候補日設定部１４は、機番ｄ１４が「１３」で示された自動取引装置７に対して、装填が設定された曜日間の期間が装填周期の「４日」を超えない範囲で、自動取引装置７に取引媒体を装填する曜日を設定する。例えば、図８に示す例では、候補日設定部１４は、機番ｄ１４が「１３」で示された自動取引装置７への取引媒体の装填を「月曜日」及び「木曜日」に設定している。
【００９９】
また、他の一例として、機番ｄ１４が「１２」のデータに着目する。この場合には、図６のデータｄ３０に示すように、周期ｄ２２（即ち、装填周期）には「１４」が設定されている。そのため、候補日設定部１４は、機番ｄ１４が「１２」で示された自動取引装置７に対して、２週間に１回装填が行われるものとして、自動取引装置７に取引媒体を装填する曜日として「日曜日」〜「土曜日」のうちのいずれか１日を設定するとともに、「隔週」を示す設定を行う。例えば、図８に示す例では、候補日設定部１４は、機番ｄ１４が「１２」で示された自動取引装置７への取引媒体の装填を「隔週」の「水曜日」に設定している。
【０１００】
なお、一部の月に関しては、他の月に比べて流出量の傾向が異なる場合がある。具体的な一例として、６月や１２月のように企業から賞与が支給される月については、他の月に比べて流出量が増加する傾向にある。そのため、候補日設定部１４は、一部の月については、他の月とは別に装填周期を設定して、当該装填周期に基づき自動取引装置７への取引媒体の装填を行う曜日を設定してもよい。例えば、図９〜図１０は、装填周期の設定に係る動作の他の一例について説明するための図であり、一部の月と他の月とに分けて装填周期を設定した場合の一例を示している。
【０１０１】
図９に示すデータｄ３０ａは、各自動取引装置７の装填周期を、流出量が増加する傾向にある６月及び１２月の場合と、６月及び１２月以外の月の場合とに分けて設定した場合の一例を示している。図９において、周期ｄ２２ａは、６月及び１２月に対応する装填周期を示している。また、周期ｄ２２ｂは、６月及び１２月以外の月に対応する装填周期を示している。
【０１０２】
また、図１０に示すデータｄ４０ａは、図９に示したデータｄ３０ａにおける、６月及び１２月に対応する周期ｄ２２ａに基づき設定された、各自動取引装置７に取引媒体を装填する曜日に関する設定の一例を示している。同様に、図１１に示すデータｄ４０ｂは、データｄ３０ａにおける、６月及び１２月以外の月に対応する周期ｄ２２ｂに基づき設定された、各自動取引装置７に取引媒体を装填する曜日に関する設定の一例を示している。
【０１０３】
具体的な一例として、図９に示したデータｄ３０ａにおける、機番ｄ１４が「１１」及び「１４」のデータに着目する。この場合には、候補日設定部１４は、６月及び１２月に対応する周期ｄ２２ａに「７」を設定し、６月及び１２月以外の月に対応する周期ｄ２２ｂには「１４」を設定している。そのため、候補日設定部１４は、図１０に示すデータｄ４０ａでは、機番ｄ１４が「１１」及び「１４」に対応するデータの「隔週」の項目に「０」を設定している。これに対して、候補日設定部１４は、図１１に示すデータｄ４０ｂでは、機番ｄ１４が「１１」及び「１４」に対応するデータの「隔週」の項目に「１」を設定している。
【０１０４】
また、他の一例として、図９に示したデータｄ３０ａにおける、機番ｄ１４が「１３」のデータに着目する。この場合には、候補日設定部１４は、６月及び１２月に対応する周期ｄ２２ａに「４」を設定し、６月及び１２月以外の月に対応する周期ｄ２２ｂには「７」を設定している。そのため、候補日設定部１４は、図１０に示すデータｄ４０ａでは、機番ｄ１４が「１３」に対応するデータの「月曜日」及び「木曜日」に、自動取引装置７への取引媒体の装填を設定している。これに対して、候補日設定部１４は、図１１に示すデータｄ４０ｂでは、機番ｄ１４が「１３」に対応するデータの「月曜日」にのみ自動取引装置７への取引媒体の装填を設定し、「木曜日」には当該装填を設定していない。
【０１０５】
このように、候補日設定部１４は、一部の月については、他の月とは別に装填周期を設定して、当該装填周期の設定に基づき自動取引装置７に対して取引媒体の装填を行う曜日を設定してもよい。
【０１０６】
以上のようにして、各自動取引装置７に取引媒体を装填する曜日の設定に基づきデータｄ４０を作成すると、候補日設定部１４は、当該データｄ４０に基づき、対象期間中において取引媒体の装填を行うための候補日を設定する。具体的な一例として、候補日設定部１４は、機番ｄ１４が「１３」で示された自動取引装置７を対象とする場合には、図８に示すデータｄ４０に基づき、対象期間中における「月曜日」及び「木曜日」を候補日として設定する。
【０１０７】
候補日設定部１４は、設定した候補日を示す候補日データを候補日データ記憶部１６に記憶させる。
【０１０８】
上記に示すように、候補日設定部１４は、過去の実績データに基づき装填周期を設定し、当該装填周期に基づき候補日を設定する。このように過去の実績データに基づき装填周期を設定し、当該装填周期に基づき設定された候補日に基づき取引媒体の装填を計画することで、自動取引装置７の有高を、当該自動取引装置７の流出実績にあわせて、少なくとも下限値以上に維持することが可能となる。
【０１０９】
なお、上記に示す例では、候補日設定部１４は、装填周期を４日、７日、及び１４日のうちのいずれかに設定する例について説明したが、候補日設定部１４が設定する装填周期は運用にあわせて適宜変更してもよい。例えば、候補日設定部１４は、装填周期の最大値を１４日以外の期間に変更してもよい。また、候補日設定部１４は、装填周期を４日、７日、及び１４日に限らずに、累積日数ごとに流出量を閾値と比較し、流出量が閾値を上回る直前の累積日数を装填周期として設定してもよい。
【０１１０】
（ステップＳ１０６：装填日の特定）
ここで、再度図４を参照する。装填計画部１８は、取得した対象期間中の流出予測及び有高の実績値と、候補日データ記憶部１６から読み出した候補日データとを装填量算出部１８２及び装填計画設定部１８４に出力する。そして、装填計画部１８は、装填計画設定部１８４に装填日を設定させ、当該装填日における装填量を装填量算出部１８２に算出させる。
【０１１１】
装填計画部１８からの指示を受け、装填計画設定部１８４は、最初の装填日を決定する。このとき、装填計画設定部１８４は、例えば、候補日データが示す複数の候補日のうち、最初の候補日を最初の装填日として設定してもよい。最初の装填日を設定すると、装填計画設定部１８４は、当該装填日を装填量算出部１８２に通知する。
【０１１２】
（ステップＳ１０８：装填量の算出）
装填量算出部１８２は、取得した対象期間中の流出予測及び有高の実績値に基づき、装填計画設定部１８４から通知された装填日における装填量を算出する。
【０１１３】
ここで、図１２及び図１３を参照しながら、装填量算出部１８２による装填量の算出に係る処理の詳細について説明する。まず、図１２を参照する。図１２は、装填量の算出に係る動作の一例について説明するための図である。
【０１１４】
まず、図１２のデータｄ５０２に着目する。データｄ５０２は、１つの自動取引装置７について、有高の実績値と、装填日及び装填額の設定と、当該自動取引装置７の流出予測と、当該自動取引装置７の有高予測とを示している。なお、ここでは、データｄ５０２には、既に、３／７までの装填計画が策定されているものとして、３／６の営業開始前の時点を基準として当該基準以降を対象期間とし、装填日として指定された３／８の装填量を算出する場合を例に説明する。
【０１１５】
まず、装填量算出部１８２は、データｄ５０２の状態を基準として、データｄ５０４に示すように、装填日として設定された３／８の前日までの有高予測を算出する。具体的には、装填量算出部１８２は、３／５の有高の実績値「１９２５」と、３／６の装填額「１４００」とを加算し、加算値から３／６の流出予測「１０２１」を減算することで、３／６の有高予測「２３０４」を算出する。
【０１１６】
３／６の有高予測を算出すると、装填量算出部１８２は、算出された３／６の有高予測から、装填日の前日までの流出予測の累積値を減算することで、当該装填日の前日における有高予測を算出する。例えば、データｄ５０４では、装填量算出部１８２は、装填日である３／８の前日、即ち、３／７の有高予測として「１２８３」を算出している。
【０１１７】
次に、装填量算出部１８２は、装填日よりも後の複数の候補日それぞれを時系列に沿って順次対象日とし、流出予測に基づき、少なくとも各対象日の前日における自動取引装置７の有高の予測値が下限値を下回らないように、装填日における装填量を算出する。なお、ここでは、下限値として「１２００」が設定されているものとして説明する。
【０１１８】
例えば、データｄ５０６に示すように、取得された候補日データに基づき、３／１１が、３／８より後の直近の候補日として設定されていたとする。この場合には、装填量算出部１８２は、まず、３／１１を対象日として、３／１１の前日である３／１０における有高の予測値が下限値「１２００」を下回らないように、３／８の装填量を算出する。
【０１１９】
具体的には、装填量算出部１８２は、装填日から対象日の前日までの流出予測の累積値と、下限値との加算値から、装填日の前日の有高予測を減算した値を算出し、算出した値以上の値となるように、装填日における装填量を算出する。例えば、３／１１を対象日として３／８の装填量を算出する場合には、装填量算出部１８２は、３／８から３／１０までの流出量の累積値「２０４６」と下限値「１２００」との加算値から、３／７の有高予測「１２８３」を減算して「１９６３」を算出する。そして、装填量算出部１８２は、算出した「１９６３」以上となるように、装填量「２０００」を算出する。なお、ここでは、取引媒体の装填量は１００単位で行われるものとして、装填量算出部１８２は、「１９６３」以上の１００の倍数である「２０００」を装填量として算出している。
【０１２０】
ここで、データｄ５０８を参照する。データｄ５０８は、３／８の装填量を「２０００」に設定した場合における、３／８から３／１０までの有高予測を示している。データｄ５０８に示すように、３／８の装填量と、３／７の有高予測と、３／８から３／１０までの流出予測とに基づき、３／８から３／１０までの有高予測を算出すると、算出された有高予測が下限値である「１２００」を下回らないことがわかる。
【０１２１】
設定した対象日に基づき装填量を算出すると、装填量算出部１８２は、装填日の前日の有高予測と、算出した装填量との加算値を、上限値と比較する。なお、ここでは、上限値として「７５００」が設定されているものとして説明する。算出した加算値が上限値以下の場合には、装填量算出部１８２は、対象日より後の直近の候補日を新たな対象日として、当該新たな対象日に基づき、新たな装填量を算出する。
【０１２２】
例えば、データｄ５０６に示す例では、３／７の有高予測「１２８３」と算出された３／８の装填量「２０００」の加算値「３２８３」は、上限値「７５００」以下である。そのため、装填量算出部１８２は、３／１１よりも後の直近の候補日を新たな対象日として、当該新たな対象日に基づき、新たな装填量を算出することとなる。
【０１２３】
ここで、図１３を参照する。図１３は、装填量の算出に係る動作の一例について説明するための図である。図１３に示すデータｄ５１２は、図１２に示すデータｄ５０６に示す状態から、３／１１より後の直近の候補日である３／１３を新たな対象日として、３／８における新たな装填量を算出した場合の例を示している。
【０１２４】
具体的には、装填量算出部１８２は、３／８から３／１２までの流出量の累積値「４１１８」と下限値「１２００」との加算値から、３／７の有高予測「１２８３」を減算した「４０３５」以上の値として、装填量「４１００」を算出する。
【０１２５】
ここで、データｄ５１４を参照する。データｄ５１４は、３／８の装填量を「４１００」に設定した場合における、３／８から３／１２までの有高予測を示している。データｄ５１４に示すように、３／８の装填量と、３／７の有高予測と、３／８から３／１２までの流出予測とに基づき、３／８から３／１２までの有高予測を算出すると、当該有高予測が下限値である「１２００」を下回らないことがわかる。
【０１２６】
また、３／１３を対象日とした場合の装填量の算出値「４１００」と、３／７の有高予測「１２８３」との加算値「５３８３」は、上限値「７５００」以下である。そのため、装填量算出部１８２は、３／１３より後の直近の候補日である３／１５を新たな対象日として、当該新たな対象日に基づき、新たな装填量を算出する。
【０１２７】
例えば、データｄ５１６は、３／１５を新たな対象日として、３／８における新たな装填量を算出した場合の例を示している。この場合には、装填量算出部１８２は、３／８から３／１４までの流出量の累積値「４１１８」と下限値「１２００」との加算値から、３／７の有高予測「１２８３」を減算した「６１０７」以上の値として、装填量「６２００」を算出する。
【０１２８】
なお、この場合には、装填量の算出値「６２００」と、３／７の有高予測「１２８３」との加算値「７４８３」は、上限値「７５００」以下となる。そのため、装填量算出部１８２は、３／１３より後の直近の候補日である３／１５を新たな対象日として、当該新たな対象日に基づき、新たな装填量を算出する。
【０１２９】
なお、算出した装填量を装填した後の有高予測が上限値を上回った場合には、装填量算出部１８２は、当該装填量に対応する対象日の直前の候補日に基づき算出された装填量を、装填日における装填量として設定する。
【０１３０】
ここで、データｄ５１８を参照する。データｄ５１８は、データｄ５１６に示す例よりも、３／９及び３／１０の流出予測が多い場合の一例を示している。この場合には、装填量算出部１８２は、３／１５を対象日とした３／８における装填量として、３／８から３／１４までの流出量の累積値「６７１５」と下限値「１２００」との加算値から、３／７の有高予測「１２８３」を減算した「６６３２」以上の値である「６７００」を算出する。
【０１３１】
ここで、３／８の装填量を「６７００」に設定した場合には、３／７の有高予測「１２８３」との加算値「７９８３」は、上限値「７５００」を上回る。そのため、装填量算出部１８２は、対象日である３／１５の直前の候補日である３／１３に基づき算出された装填量を、装填日における装填量とする。データｄ５１８に示す例では、装填量算出部１８２は、３／８から３／１２までの流出量の累積値「４６４３」と下限値「１２００」との加算値から、３／７の有高予測「１２８３」を減算した「４５６０」以上の値（例えば、「４６００」）を、３／８の装填量として設定することとなる。
【０１３２】
以上のようにして、装填量算出部１８２は、装填日における装填量を算出したら、装填量算出部１８２は、算出した装填量と、当該装填量に対応する対象日とを示す情報を、装填計画設定部１８４に通知する。
【０１３３】
（ステップＳ１１０：装填の計画）
ここで、再度図４を参照する。装填計画設定部１８４は、装填量算出部１８２への装填日の出力に対する応答として、装填量算出部１８２から、当該装填日における装填量と、当該装填量に対応する対象日との通知を受ける。装填計画設定部１８４は、当該装填日に装填量算出部１８２から通知された装填量の装填を計画し、次回の装填を、装填量算出部１８２から通知された対象日よりも後の候補日に計画する。
【０１３４】
即ち、装填量算出部１８２は、第１の候補日（例えば、データｄ５１８の３／１１）と連続せず、かつ当該第１の候補日よりも後の第２の候補日（例えば、データｄ５１８の３／１３）の前日における有高予測が下限値を下回らないように装填量を算出する。そして、装填量算出部１８２は、算出した装填量を装填後の装填日（例えば、データｄ５１８の３／８）における有高予測が上限値以下の場合には、当該装填量を、装填日における装填量とする。そして、装填計画設定部１８４は、第２の候補日に基づき算出された装填量の装填を装填日に計画し、第１の候補日での装填を避けて、次回の装填を第２の候補日以降に計画する。
【０１３５】
次回の装填を計画したら、装填計画設定部１８４は、計画した次回の装填日を装填量算出部１８２に通知する。そして、装填量算出部１８２は、装填計画設定部１８４から通知された次回の装填日における装填量を算出する。以上のように、装填量算出部１８２と装填計画設定部１８４とは、互いに連携することで、装填日の決定、及び、当該装填日における装填量の算出に係る動作を、対象期間中における一連の装填計画が策定されるまで再帰的に実行する（ステップＳ１１２、ＮＯ）。
【０１３６】
対象期間中における一連の装填計画の策定が完了したら（ステップＳ１１２、ＹＥＳ）、装填計画部１８は、策定した装填計画を示す計画データを出力する。
【０１３７】
なお、装填計画部１８が策定した装填計画に基づき自動取引装置７への装填を行ったとしても、当該自動取引装置７の取引媒体の流出量の実績値が流出予測通りになるとは限らず、自動取引装置７の有高実績も有高予測通りに推移するとは限らない。そのため、装填計画部１８は、策定した装填計画と、自動取引装置７の有高実績とを所定のタイミングごとに比較することで有高実績の推移を監視し、監視結果に基づき、装填計画の見直しを行ってもよい。
【０１３８】
例えば、装填計画部１８は、設定した各候補日の直前（例えば、２営業日前等）のタイミングで、自動取引装置７の有高実績と、当該候補日の前日までの流出予測とに基づき当該候補日の前日における有高予測が下限値を下回ることを予測したとする。この場合には、装填計画部１８は、当該候補日において自動取引装置７への取引媒体の装填が計画されていない場合においても、当該候補日における取引媒体の装填を新たに計画してもよい。
【０１３９】
また、装填計画部１８が、有高実績の推移を監視するタイミングは、各候補日の直前に限定されない。例えば、装填計画部１８は、候補日の有無に関わらず、所定のタイミングごと（例えば、毎日または２日おき等）で、有高実績の推移を監視し、監視結果に基づき、装填計画の見直しを行ってもよい。この場合には、装填計画部１８は、候補日か否かに関わらず、有高予測が下限値を下回ることが予測された場合には、有高予測が下限値を下回る当日、またはその前日に、取引媒体の装填を新たに計画してもよい。
【０１４０】
このように、装填計画部１８は、装填計画に基づきあらかじめ決められた装填日とは異なる日において、有高予測が下限値を下回ることを予測した場合には、装填日とは別に追加で取引媒体の装填を行ってもよい（即ち、追加装填）。
【０１４１】
同様にして、装填計画部１８は、有高実績の推移を日よりも短い単位（例えば、時または分単位）で監視し、有高実績が下限値を下回った場合には、当日における取引媒体の装填を新たに計画してもよい（即ち、臨時装填）。
【０１４２】
もちろん、装填計画部１８は、有高実績と流出予測とに基づく有高予測が、次回の装填日の前日まで下限値を下回らないことが予測された場合には、次回の装填日までに到来する他の候補日における取引媒体の装填は、当初の装填計画通りに行わなくてもよい（スキップしてもよい）。
【０１４３】
なお、装填計画部１８は、取引媒体の装填を新たに計画する場合には、装填計画の策定時の流出予測に基づき装填量を算出してもよい。また、装填計画部１８は、直近の有高実績に基づき流出予測を流出予測部１２に再度実行させ、その結果に基づいて装填量を算出してもよい。
【０１４４】
また、装填計画部１８は、新たに装填が計画された日よりも後の他の装填日における装填量を改めて算出し直してもよいし、装填日を改めて設定し直してもよい。
【０１４５】
即ち、装填計画部１８は、新たに装填が計画された日を装填日として、当該装填日と連続せず、かつ当該装填日よりも後の候補日を第１の候補日とする。そして、装填計画部１８は、当該第１の候補日の前日における有高予測が下限値と下回らないように装填量を算出し、当該装填日に算出した装填量の装填を計画する。また、装填計画部１８は、当該第１の候補日と連続せず、かつ当該第１の候補日よりも後の候補日を第２の候補日とする。そして、装填計画部１８は、第２の候補日の前日における有高予測が下限値を下回らないように装填量を算出し、算出した装填量を装填後の装填日における有高予測が上限値以下の場合には、装填日に当該装填量の装填を計画する。なお、この場合には、装填計画部１８は、第１の候補日での装填を避けて、次回の装填を前記第２の候補日以降に計画する。
【０１４６】
このように、装填計画部１８は、取引媒体の装填が新たに計画されることで有高実績が当初の予定から変動した場合においても、改めて装填計画を策定し直すことにより、当該装填以降も自動取引装置７の有高が下限値を下回らないように維持することが可能となる。
【０１４７】
また、流出量の実績値が流出予測より下回り、装填が計画されている装填日の前日における有高予測が下限値を下回らない場合もある。このような場合には、装填計画部１８は、装填計画の策定時に計画されていた装填日における装填を行わず、当該装填日より後に取引媒体の装填を行ってもよい。
【０１４８】
具体的な一例として、装填計画部１８は、一の装填日の直前（例えば、２営業日前等）のタイミングで、当該一の装填日の前日における有高予測が下限値を下回らないことを予測したとする。このときに、装填計画部１８は、自動取引装置７の有高実績と、流出予測とに基づき、当該一の装填日の次に到来する装填日（次回の装填日）の前日における有高予測を算出し、当該有高予測が下限値を下回らない場合には、一の装填日における装填を行わなくてもよい（スキップしてもよい）。
【０１４９】
また、装填計画部１８は、装填が計画されている一の装填日において取引媒体の装填を行わなかった場合には、当該一の装填日よりも後の他の装填日における装填量を改めて算出し直してもよい。
【０１５０】
なお、装填計画部１８は、有高予測の算出に用いる流出予測として、装填計画の策定時の流出予測を用いてもよいし、直近の有高実績に基づき流出予測を流出予測部１２に再度実行させ、その結果を用いてもよいことは言うまでもない。
【０１５１】
また、他の一例として、装填計画部１８は、装填が計画されている一の装填日において取引媒体の装填を行わなかった場合には、装填計画を改めて策定し直してもよい。例えば、装填計画部１８は、一の装填日において取引媒体の装填を行わないことで、次に到来する装填日の前日よりも前に、有高予測が下限値を下回ることが予測された場合には、次回の装填を前倒しにするように装填計画を策定し直してもよい。
【０１５２】
なお、上述した一連の動作は、装填計画策定システム１の各構成を動作させる装置のＣＰＵを機能させるためのプログラムによって構成することができる。このプログラムは、その装置にインストールされたＯＳ（Ｏｐｅｒａｔｉｎｇ  Ｓｙｓｔｅｍ）を介して実行されるように構成してもよい。また、このプログラムは、上述した処理を実行する構成が含まれる装置が読み出し可能であれば、記憶される位置は限定されない。例えば、装置の外部から接続される記録媒体にプログラムが格納されていてもよい。この場合には、プログラムが格納された記録媒体を装置に接続することによって、その装置のＣＰＵに当該プログラムを実行させるように構成するとよい。
【０１５３】
また、上記に示す例では、自動取引装置７からの取引媒体の流出に着目して装填計画を策定する例について説明したが、装填計画策定システム１は、自動取引装置７への取引媒体の流入をあわせて考慮してもよい。即ち、装填計画策定システム１は、自動取引装置７に収容された取引媒体の変化量（流出量及び流入量に基づく変化量）を考慮して装填計画を策定することも可能である。この場合には、実績データに、自動取引装置７への取引媒体の流入実績を示すデータを含めればよい。また、流出予測部１２は、実績データ中の流出実績と流入実績とに基づき、対象期間中の各日における流出量を予測すればよい。なお、流入量が流出量を上回る場合には、流出予測部１２は、流出量の予測値を負の値として算出すればよい。また、取引媒体の流出量に加えて流入量を考慮する場合には、装填計画策定システム１は、装填量に加えて回収量を算出するようにしてもよい。なお、この場合には、装填計画策定システム１は、装填量とは別に回収量を算出することで回収計画を策定してもよいし、装填量が負の値を示す場合に回収を行うものとみなしても計画を策定してもよい。
【０１５４】
また、流入量を考慮した場合には、自動取引装置７の収容量は、流出量と流入量との差に基づき日々増減する。そのため、対象日の前日に有高が下限値を下回らない場合においても、装填日から対象日までの期間中のいずれかの日において、一時的に有高が下限値を下回る場合もある。そのため、装填計画策定システム１は、装填日から対象日の前日までの期間における各日までの流出予測の累積値のうち、最大となる累積値に基づき装填量を算出してもよい。このような構成により装填量を算出することで、装填日から対象日の前日までの期間において自動取引装置７の収容量が増減する場合においても、当該期間中に収容量が下限値を下回る事態を防止することが可能となる。
【０１５５】
同様に、流入量を考慮した場合には、装填日から対象日までの期間中のいずれかの日において、一時的に有高が上限値を上回る場合もある。そのため、装填計画策定システム１は、装填日から対象日の前日までの期間における各日までの流出予測の累積値のうち、最小となる累積値に基づき装填量を算出してもよい。即ち、装填計画策定システム１は、当該最小となる累積値に基づき算出される有高予測が、上限値を上回らない範囲で、対象日及び当該対象日に基づく装填量を算出すればよい。このような構成により対象日を決定し装填量を算出することで、装填日から対象日の前日までの期間において自動取引装置７の収容量が増減する場合においても、当該期間中に収容量が上限値を上回る事態を防止することが可能となる。
【０１５６】
また、算出した装填量を装填した後の有高予測が上限値を上回らない範囲であれば、装填計画策定システム１は、各候補日に基づき算出された装填量のうちのいずれを、装填日における装填量としてもよい。例えば、図１３のデータｄ５１８に示す例の場合には、３／１１及び３／１３それぞれを対象日とした場合の装填量を装填後の有高予測は、いずれも上限値を上回らない。そのため、装填計画策定システム１は、装填日である３／８の装填量として、３／１１を対象日とした算出した装填量を設定してもよいし、３／１３を対象日とした算出した装填量を設定してもよい。
【０１５７】
また、装填計画策定システム１は、計画された装填日間の間隔（即ち、装填間隔）が所定の期間を上回らないように、装填日における装填量の算出と、次回の装填の計画（即ち、当該装填日より後の他の装填日の設定）を行うようにしてもよい。具体的な一例として、装填計画策定システム１は、自動取引装置７に対して取引媒体の装填が、少なくとも月に１回は行わるように、装填計画を策定するようにしてもよい。
【０１５８】
また、装填計画策定システム１は、有高予測に対する誤差を算出し、装填量に当該誤差分を上乗せしてもよい。例えば、装填計画策定システム１は、過去の実績データ（例えば、過去の流出実績）にばらつきがある場合には、当該ばらつきにより有高予測の変化幅を算出し、算出された当該変化幅分を許容できるように装填量を上乗せしてもよい。また、装填計画策定システム１は、上乗せする取引媒体の量を、あらかじめ決めておいてもよい。例えば、装填計画策定システム１は、装填量に対して所定の割合分を上乗せしてもよい。具体的な一例として、装填計画策定システム１は、装填量の１０％分を上乗せしてもよい。また、他の一例として、装填計画策定システム１は、あらかじめ決められた量の取引媒体を上乗せしてもよい。具体的な一例として、装填計画策定システム１は、装填量を上乗せする場合には、あらかじめ決められた「３００」分の取引媒体を上乗せしてもよい。
【０１５９】
また、装填計画策定システム１は、算出した装填量に対して誤差分の算出及び上乗せを行うか否かを、あらかじめ決められた条件に基づき決定してもよい。具体的な一例として、装填計画策定システム１は、追加装填や臨時装填を行うことで改めて装填量を算出する必要がある場合に、算出した装填量に対して、直近の有高の推移に基づき誤差分を算出し、当該誤差分を当該装填量に上乗せしてもよい。
【０１６０】
＜３．まとめ＞
以上説明したように、本実施形態に係る装填計画策定システム１は、装填日よりも後の複数の候補日それぞれを時系列に沿って順次対象日とし、流出予測に基づき、少なくとも各対象日の前日における自動取引装置７の有高が下限値を下回らないように、装填日における装填量を算出する。そして、装填計画策定システム１は、算出した装填量を装填後の有高の予測値が上限値を上回った場合には、当該装填量に対応する対象日の直前の候補日に基づき算出された装填量の装填を、当該装填日に計画する。このような構成により、装填計画策定システム１は、図２に示すように、有高の変化が日によって異なる場合においても、当該変化に追随して当該有高が所定量以上に維持されるように装填量を算出することが可能となる。
【０１６１】
また、本実施形態に係る装填計画策定システム１は、装填量の算出結果に基づき、次回の装填を、装填後の有高の予測値が上限値を上回った直前の候補日よりも後の候補日に設定することが可能である。そのため、装填計画策定システム１が作成した計画データに基づき取引媒体の装填を行うことで、図２に示すように、一部の候補日における装填を行う必要がなくなるため、対象期間中の装填日を少なく抑え、資金装填の効率性を向上させることが可能となる。
【０１６２】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【０１６３】
１  装填計画策定システム
１０    装填計画策定システム
１２    流出予測部
１４    候補日設定部
１６    候補日データ記憶部
１８    装填計画部
１８２  装填量算出部
１８４  装填計画設定部
２  実績データ管理部
３  自動取引装置中央管理部
４  金融機関ホスト
５  支店
６  端末管理部
７  自動取引装置
８  専用網
【図１】
2015069291.tif 000003
【図２】
2015069291.tif 000004
【図３】
2015069291.tif 000005
【図４】
2015069291.tif 000006
【図５】
2015069291.tif 000007
【図６】
2015069291.tif 000008
【図７】
2015069291.tif 000009
【図８】
2015069291.tif 000010
【図９】
2015069291.tif 000011
【図１０】
2015069291.tif 000012
【図１１】
2015069291.tif 000013
【図１２】
2015069291.tif 000014
【図１３】
2015069291.tif 000015